(57)【要約】【課題】入力部材の高さが調整可能なキーボード及び電子デバイスを提供する。【解決手段】入力ユニットに適用される持上げ装置であって、入力ユニットを載せ、下凸部を含む台座と、台座に対応して移動可能に設けられ、ベース部と下凸部に対応して設けられる切欠きとを含むホルダーと、出力ロッドと入力ロッドとを含むリンク機構であって、出力ロッドがホルダーに接続され、入力ロッドが、出力ロッドと連動して出力ロッドを移動させることにより、ホルダーを台座に対して移動させ、ホルダーの移動により下凸部が切欠きからベース部に移動するとき、台座が一定の高さで上昇するリンク機構と、を備える持上げ装置である。【選択図】図１Ａ
2019128942.tif 000002
【特許請求の範囲】
【請求項１】
入力ユニットに適用される持上げ装置であって、
当該入力ユニットを載せ、下凸部を含む台座と、
当該台座に対応して移動可能に設けられ、ベース部と当該下凸部に対応して設けられる切欠きとを含むホルダーと、
出力ロッドと入力ロッドとを含むリンク機構であって、当該出力ロッドが当該ホルダーに接続され、当該入力ロッドが、当該出力ロッドと連動して当該出力ロッドを移動させることにより、当該ホルダーを当該台座に対して移動させ、当該ホルダーの移動により当該下凸部が当該切欠きから当該ベース部に移動するとき、当該台座が一定の高さで上昇するリンク機構と、
を備える持上げ装置。
【請求項２】
当該入力ロッドは、第1方向に沿って移動し、当該ホルダーは、第2方向に沿って移動し、当該第1方向と当該第2方向は同じ平面にあり、かつ第1方向と第2方向は互いに垂直である請求項1に記載の持上げ装置。
【請求項３】
当該ホルダーは、
当該ホルダーの移動により当該下凸部が当該切欠きから離れる時に当該ホルダーへの当該台座の正投影と重なって当該台座を支持する突出部をさらに備える請求項1に記載の持上げ装置。
【請求項４】
当該ホルダーは、
溝方向が当該ホルダーの移動方向と同じである少なくとも一つのガイド溝をさらに備える請求項3に記載の持上げ装置。
【請求項５】
一端が当該ガイド溝の一側から当該ガイド溝を通る少なくとも一つの固定部材と、
当該台座に取り付けられ、当該ガイド溝の他方側に、当該固定部材に嵌設され、当該固定部材の軸方向に沿って当該台座に従って上昇する少なくとも一つの昇降ガイドと、
をさらに備える請求項4に記載の持上げ装置。
【請求項６】
当該昇降ガイドに嵌設され、当該固定部材の当該軸方向に沿って当該台座に従って上昇して圧縮される少なくとも一つの弾性部材
をさらに備える請求項5に記載の持上げ装置。
【請求項７】
当該リンク機構は、当該出力ロッドに枢着され、第1スライド溝を有する接続ロッドをさらに備え、
当該入力ロッドはピボット軸を有し、当該入力ロッドの当該ピボット軸は当該第1スライド溝に摺動設置されている請求項1に記載の持上げ装置。
【請求項８】
当該出力ロッドは、第2スライド溝を有し、当該ホルダーは、ピボット軸を有し、当該ホルダーの当該ピボット軸は、当該出力ロッドの当該第2スライド溝に摺動設置されている請求項1に記載の持上げ装置。
【請求項９】
開口を有する第1回路板と、
少なくとも一部が当該開口を通る請求項1〜8のいずれか一項に記載の入力ユニットと、
当該入力ユニットを高くするための請求項1〜8のいずれか一項に記載の持上げ装置と、
を備えるキーボード。
【請求項１０】
当該入力ユニットは、
当該第1回路板の下方に設けられる第2回路板と、
当該開口を通るように当該第2回路板に設けられ、輪郭が当該開口の輪郭と一致している少なくとも一つのユニットキーと、
を備える請求項9に記載のキーボード。
【請求項１１】
当該第1回路板に設けられる複数のキーであって、当該ユニットキーのキーキャップの高さはこれらのキーのキーキャップの高さよりも大きく、当該ホルダーの切欠きが当該下凸部を収容する時、当該ユニットキーのキーキャップの頂部はこれらのキーのキーキャップの頂部と高さが同じである複数のキー
をさらに備える請求項10に記載のキーボード。
【請求項１２】
枠体と、
当該枠体に設けられる請求項9〜11のいずれか一項に記載のキーボードと、
を備える電子デバイス。
【請求項１３】
ノートパソコンであり、
当該枠体に枢設されるディスプレイと、
当該ディスプレイに設けられ、ディスプレイが当該枠体へ予定の角度まで枢転する時、当該持上げ装置を移動させて当該入力ユニットを降下させる閉塞降下部品とをさらに備える
請求項12に記載の電子デバイス。
【発明の詳細な説明】
【技術分野】
【０００１】
本発明は、キーボード及び電子デバイスに関し、特に、入力部材の高さが調整可能なキーボード及び電子デバイスに関する。
【背景技術】
【０００２】
キーボードは、デスクトップパソコン又はノートパソコンの入力装置である。一般的には、デスクトップパソコンのホストは、外部の独立キーボードに接続され、ノートパソコンは、内蔵キーボードと組み合わせられるが、ノートパソコンは、入力装置として外部の独立キーボードに接続されてもよい。
【０００３】
ユーザーがコンピューターを操作してパソコンゲームをやる時、一般的には、ゲームは、ユーザーがゲームをやりやすいように、特別な操作用途として複数の特定のキーを設定する。例えば、大部分の一人称シューティングゲームは、WASDという四つのキーをゲームの人物の移動の指令として上下左右の移動を制御する。ユーザーがこれらの特定の機能キーを素早く見出すようにするために、一部のキーボードにおいては、これらの特定の機能キー（例えば、WASDという四つのキー）は、発光でき、あるいは異なる色で標示されており、これにより、キーボードにおける他のキーと区別される。しかし、この方法では、ユーザーは、依然として目線をディスプレイからキーボードに一時的に移してはじめてこれらの特定の機能キーの位置を識別できるので、ユーザーは、精神を集中できず、ゲームにおけるユーザーのパフォーマンスに影響する可能性がある。
【０００４】
したがって、如何にユーザーが特定の入力部材をより容易に見出すことができるキーボード及び電子デバイスを提供するかは、重要な課題の一つとなっている。
【発明の概要】
【０００５】
上述の課題に鑑みて、本発明は、入力部材の高さが調整可能なキーボード及び電子デバイスを提供することを目的とする。
【０００６】
上記の目的を達成するために、入力ユニットに適用される持上げ装置であって、入力ユニットを載せ、下凸部を含む台座と、台座に対応して移動可能に設けられ、ベース部と下凸部に対応して設けられる切欠きとを含むホルダーと、出力ロッドと入力ロッドとを含むリンク機構であって、出力ロッドがホルダーに接続され、入力ロッドが、出力ロッドと連動して出力ロッドを移動させることにより、ホルダーを台座に対して移動させ、当該ホルダーの移動により当該下凸部が当該切欠きから当該ベース部に移動するとき、当該台座が一定の高さで上昇するリンク機構と、を備える持上げ装置を提供する。
【０００７】
一実施例において、入力ロッドは、第1方向に沿って移動し、ホルダーは、第2方向に沿って移動し、第1方向と当該第2方向は同じ平面にあり、かつ第1方向と第2方向は互いに垂直である。
【０００８】
一実施例において、ホルダーは、ホルダーの移動により下凸部が切欠きから離れる時にホルダーへの台座の正投影と重なって台座を支持する突出部をさらに備える。
【０００９】
一実施例において、ホルダーは、溝方向がホルダーの移動方向と同じである少なくとも一つのガイド溝をさらに備える。
【００１０】
一実施例において、持上げ装置は、少なくとも一つの固定部材及び少なくとも一つの昇降ガイドをさらに備え、固定部材の一端は、ガイド溝の一方側からガイド溝を通り、昇降ガイドは、台座に取り付けられ、ガイド溝の他方側に、固定部材に嵌設され、固定部材の軸方向に沿って台座に従って上昇する。
【００１１】
一実施例において、持上げ装置は、昇降ガイドに嵌設され、固定部材の軸方向に沿って台座に従って上昇して圧縮される少なくとも一つの弾性部材をさらに備える。
【００１２】
一実施例において、複数の昇降ガイド及び複数の弾性部材は、バランスを取りながら台座のそれぞれの隅に分布し、複数の固定部材は、複数のガイド溝を通る。
【００１３】
一実施例において、リンク機構は、出力ロッドに枢着され、第1スライド溝を有する接続ロッドをさらに備え、入力ロッドは、ピボット軸を有し、入力ロッドのピボット軸は、第1スライド溝に摺動設置されている。
【００１４】
一実施例において、出力ロッドは、第2スライド溝を有し、ホルダーは、ピボット軸を有し、ホルダーのピボット軸は、出力ロッドの第2スライド溝に摺動設置されている。
【００１５】
上記の目的を達成するために、開口を有する第1回路板と、少なくとも一部が開口を通る前記入力ユニットと、入力ユニットを高くする前記持上げ装置と、を備えるキーボードを提供する。
【００１６】
一実施例において、入力ユニットは、第2回路板及び少なくとも一つのユニットキーを有し、第2回路板は、第1回路板の下方に設けられ、ユニットキーは、開口を通るように第2回路板に設けられ、開口の輪郭とユニットキーの輪郭とは一致している。
【００１７】
一実施例において、キーボードは、第1回路板に設けられる複数のキーをさらに備え、ユニットキーのキーキャップの高さは、キーのキーキャップの高さより大きく、ホルダーの切欠きが下凸部を収容する時、ユニットキーのキーキャップの頂部はキーのキーキャップの頂部と高さが同じである。
【００１８】
一実施例において、入力ロッドは、キーボードの前側の近くに位置し、ユーザーが操作するように配置される。
【００１９】
一実施例において、入力ユニットは、軌跡ボールである。
【００２０】
一実施例において、第1回路板におけるキーの第1回路板に対する高さは、調整不可能であり、キーは、コンピューターの標準キーボードに準じて配置される。
【００２１】
一実施例において、キー及びユニットキーは、コンピューターの標準キーボードに準じて配置され、ユニットキーはWASDキーであり、キーは、WASDキーではない他のキーである。
【００２２】
上記の目的を達成するために、枠体と枠体に設けられる前記キーボードとを備える電子デバイスを提供する。
【００２３】
一実施例において、電子デバイスは、ノートパソコンであり、枠体は、キー、入力ユニット及び入力ロッドが露出するように第1回路板を覆う上蓋を備える。
【００２４】
一実施例において、電子デバイスは、ノートパソコンであり、枠体に枢設されるディスプレイと、ディスプレイに設けられる閉塞降下部品とをさらに備え、ディスプレイが枠体へ予定の角度まで枢転する時、閉塞降下部品は、持上げ装置を移動させて入力ユニットを降下させる。
【００２５】
一実施例において、閉塞降下部品は磁石であり、持上げ装置は、閉塞降下部品の磁性と反発し合う磁性材質を有する。
【００２６】
上述したように、本発明のキーボード及び電子デバイスは、高さが調整可能な入力ユニットを備え、ユーザーは、持上げ装置を操作することにより、この入力ユニットを上昇させて他のキーよりも高くすることができる。ユーザーは目線をキーボードに移す必要がなく、指の触感のみによりこの入力ユニットの位置を正確に見出すことができる。ゲームの応用下で、ユーザーは、気を散らして目線をディスプレイからキーボードに一時的に移す必要がないので、できるだけゲーム自体に集中することができる。
【図面の簡単な説明】
【００２７】
【図１Ａ】一実施例のキーボードの模式図である。
【図１Ｂ】図1Aにおけるキーボードの部材の模式図である。
【図１Ｃ】図1Bにおける一部の部材の模式図である。
【図２Ａ】一実施例のキーボード及び電子デバイスの模式図である。
【図２Ｂ】一実施例のキーボード及び電子デバイスの模式図である。
【図３Ａ】図2Aにおけるキーボードの部材の模式図である。
【図３Ｂ】図3Aの分解模式図である。
【図４Ａ】図1Bにおいて軸方向Zに沿ってキーボードの部材の作動を観察する模式図である。
【図４Ｂ】図1Bにおいて軸方向Zに沿ってキーボードの部材の作動を観察する模式図である。
【図５Ａ】図1Bにおいて軸方向Xに沿ってキーボードの部材の作動を観察する模式図である。
【図５Ｂ】図1Bにおいて軸方向Xに沿ってキーボードの部材の作動を観察する模式図である。
【図５Ｃ】図1Bにおいて軸方向Xに沿ってキーボードの部材の作動を観察する模式図である。
【図５Ｄ】図1Bにおいて軸方向Xに沿ってキーボードの部材の作動を観察する模式図である。
【図６】一実施例の電子デバイスの模式図である。
【図７】一実施例の電子デバイスの模式図である。
【発明を実施するための形態】
【００２８】
以下、関連図面を参照して本発明の好ましい実施例によるキーボード及び電子デバイスを説明する。同じ部材は、同じ符号で説明される。
【００２９】
図1Aは一実施例のキーボードの模式図であり、図1Bは図1Aにおけるキーボードの部材の模式図であり、図1Cは図1Bにおける一部の部材の模式図である。図1A〜1Cに示すように、キーボード1は、第1回路板11、複数のキー12、入力ユニット10及び持上げ装置13を備える。複数のキー12は、第1回路板11に設けられ、キー12が圧力を受けた時に、第1回路板11に入力信号を生じるとともに、第1回路板11を介して入力信号を他の部材、例えばキーボードコントローラに伝達する。
【００３０】
第1回路板11は、開口Oを有し、開口Oは、少なくとも二つのキー12の間に位置する。入力ユニット10の少なくとも一部は、開口Oを通り、入力信号を生じさせる。入力信号は、接続線又は第1回路板11を介して他の部材、例えばキーボードコントローラに伝達できる。
【００３１】
持上げ装置13を入力ユニット10の上昇又は降下に適用することにより、入力ユニット10の第1回路板11又はキー12に対する高さを調整する。持上げ装置13は、台座137、ホルダー131及びリンク機構132を備え、台座137は、入力ユニット10を載せ、少なくとも一つの下凸部、例えば二つの下凸部1371、1372を備え、ホルダー131は、台座137に対応して移動可能に設けられ、ベース部1313及び突出部1312を備え、ホルダー131は、少なくとも一つの切欠き、例えば二つの切欠き1316、1317をさらに備える。ベース部1313は、入力ユニット10の下に移動可能に設けられ、入力ユニット10を支持し、切欠き1316、1317は、下凸部1371、1372に対応して設けられる。突出部1312は、ベース部1313よりも高く、入力ユニット10の下に移動可能に設けられる。これにより、ベース部1313又は突出部1312を交換して入力ユニット10を安定的に支持することができ、ベース部1313は、入力ユニット10を低い高さに安定的に支持でき、突出部1312は、入力ユニット10を高い高さに安定的に支持できる。リンク機構132は、出力ロッド1323及び入力ロッド1321を備え、出力ロッド1323は、ホルダー131に接続される。入力ロッド1321は、出力ロッド1323と連動して出力ロッド1323を移動させることにより、ホルダー131を入力ユニット10に対して移動させる。ホルダー131の移動により下凸部1371、1372が切欠き1316、1317からベース部1313に移動する時、台座137が一定の高さで上昇する。
【００３２】
本実施例において、入力ロッド1321は、第1方向に沿って移動でき、ホルダー131は第2方向に沿って移動でき、第1方向と第2方向は同じ平面にあり、かつ第1方向と第2方向は互いに垂直であり、第1方向は、例えば図1Bにおける軸方向Xの正軸であり、第2方向は、例えば図1Bにおける軸方向Yの負軸である。
【００３３】
本実施例において、入力ユニット10は、第2回路板14及び少なくとも一つのユニットキー15を備え、第2回路板14は、第1回路板11の下方に設けられ、ユニットキー15は、開口Oを通るように第2回路板14に設けられ、少なくとも二つのキー12の間に位置し、第2回路板14を介して入力信号を他の部材、例えばキーボードコントローラに伝達する。開口Oの輪郭とユニットキー15の輪郭とは一致することにより、開口Oから露出する内部部材が多すぎて外観に影響することを回避するとともに、塵などの外部異物が開口Oから落ちることを回避する。第2回路板14は、電線3を介して他の部材と電気的に接続されてもよい。図1Bにおいて、電線3の一端は、第2回路板14に接続され、他端は、他の部材、例えばキーボードコントローラに接続されてもよい。
【００３４】
キーボード1のキーボードコントローラは、キー12又はユニットキー15により生じた入力信号を処理し、その後、入力信号に応じて対応するワードを生じ、ワードを接続されるコンピューター装置に出力する。接続方式は、有線でも無線でもよい。コンピューター装置は、例えばデスクトップパソコン、ノートパソコン、タブレットパソコン、スマートフォンなどである。
【００３５】
持上げ装置13は、第2回路板14の第1回路板11への移動又は第1回路板11からの離間を制御するように配置されることにより、ユニットキー15のキー12に対する高さを調整する。第2回路板14は、第1回路板11の下方に設けられ、ユニットキー15のキーキャップの高さは、キー12のキーキャップの高さよりも大きく、ホルダー131の切欠き1316、1317が下凸部1371、1372を収容する時であって、入力ユニット10が初期高さに位置する時に、ユニットキー15のキーキャップの頂部は、キー12のキーキャップの頂部と高さが同じであってもよく、入力ユニット10が上昇した後、ユニットキー15はキー12よりも高い。
【００３６】
持上げ装置13の一部の部材は、ユーザーが操作するようにキーボード1の前側Aの近くに位置し、持上げ装置13の他の一部の部材は、入力ユニット10を持ち上げて高くするために入力ユニット10の下方に位置する。持上げ装置13の一部の部材は、前側Aから対向側Bへ入力ユニット10の下方を移動することで、入力ユニット10の高さを調整することができ、例えば、高く持ち上げ、押し上げ、又は引き上げるように調整することができる。逆の場合に、入力ユニット10を元の高さに復帰させることができる。
【００３７】
キー12の第1回路板11に対する高さは調整不可能であり、キー12は、コンピューターの標準キーボードに準して配置できる。図1の例において、ユニットキーはWASDキーであり、キーはWASDキーではない他のキーであり、キー12及びユニットキー15は、コンピューターの標準キーボードに準じて配置され、コンピューターの標準キーボードは、例えば101キーボード標準である。
【００３８】
また、第1回路板11には、遮断部品16及び仕切り層17が設けられてもよく、仕切り層17は、実部材でも空気層でもよい。第2回路板14にも、遮断部品及び仕切り層が設けられてもよい。
【００３９】
また、キー12は、一般的なキーボードのキーの設置方式により第1回路板11に設けることができ、ユニットキー15は、一般的なキーボードのキーの設置方式により第2回路板14に設けることができる。例えば、キー12及びユニットキー15は、ユーザーが接触して押圧するためのキーキャップを有し、キーキャップの下の機構部品は、回路板の回線を触発して入力信号を生じることができる。
【００４０】
キーボード1は、独立のキーボードとしてもよく、接続線によりデスクトップパソコン、ノートパソコン、タブレットパソコン、スマートフォンなどのコンピューター装置に接続されて使用してもよく、あるいは、無線送信機によりデスクトップパソコン、ノートパソコン、タブレットパソコン、スマートフォンなどのコンピューター装置と接続されて使用してもよい。
【００４１】
図2Aと図2Bは、一実施例のキーボード及び電子デバイスの模式図である。図2Aと図2Bに示すように、図1A及び図1Bにおけるキーボード1は、電子デバイス2に内蔵されてもよく、電子デバイス2は、例えばノートパソコンであるが、これに限らない。電子デバイス2は、枠体21、ディスプレイ22及び上蓋24を備え、キーボード1は、枠体21に設けられ、ディスプレイ22は、枠体21に枢設され、上蓋24は、キーボード1の第1回路板11を覆って、キー12、入力ユニット10及び持上げ装置13を露出させる。
【００４２】
上蓋24は持上げ装置13の大部分の部材も覆い、入力ロッド1321のバンプ1321aのみが、ユーザーが操作するように切換えスイッチとして上蓋24から露出する。持上げ装置13は、キーボード1の前側Aの近くに位置し、電子デバイス2の回転軸に近く、電子デバイス2の狭いエッジを占める必要がないので、電子デバイス2の狭いエッジに一般的にあるべき入出力ポートを配置することができる。
【００４３】
図2Aにおいて、持上げ装置13が初期位置にあり、入力ユニット10が第1位置にありまだ上昇しておらず、この際に、ユニットキー15とキー12の高さは同じであるので、ユニットキー15とキー12は、依然としてユーザーに同じ触感を与える。図2Bにおいて、持上げ装置13が末端位置にあり、入力ユニット10が第2位置にあり既に上昇しており、この際に、ユニットキー15がキー12よりも高いので、ユニットキー15とキー12はユーザーに異なる触感を与える。例えば、ユニットキー15を第1位置から第2位置まで持上げる高さは約1〜1.5mmであるが、実際に持上げる高さはこれに限らない。
【００４４】
図3Aは、図2Aにおけるキーボードの部材の模式図である。図3Bは図3Aの分解模式図である。以下、図3A及び図3Bにより入力ユニット10及び持上げ装置13を説明する。
【００４５】
図3Aと図3Bに示すように、入力ユニット10は、台座137に取り付けられており、ホルダー131は台座137の下を摺動可能であり、かつ、第1回路板11と距離を保持できる。また、ホルダー131は、突出部1312の一方側に位置するテーパ斜面1311をさらに備える。ホルダー131の移動により下凸部1371、1372が切欠き1316、1317から離れる時、突出部1312はホルダー131への台座137の正投影と重なって台座137を支持する。詳細的には、ホルダー131が台座137へ移動する時、台座137は、テーパ斜面1311に沿って突出部1312の上に摺動し、その後、突出部1312が台座137及び入力ユニット10を安定的に高くすることができ、図1Bにおける第1回路板11も昇降ガイド136の軸方向に沿って弾性部材135を圧縮する。ホルダー131が台座137の下から摺動して離れる時、台座137は突出部1312からテーパ斜面1311に沿って下へ摺動して降下する。したがって、ホルダー131が入力ユニット10の下を摺動することにより、入力ユニット10を上昇又は降下させることができる。
【００４６】
リンク機構132は、入力ロッド1321及び出力ロッド1323に接続される接続ロッド1322をさらに備える。本実施例において、接続ロッド1322は出力ロッド1323と枢着され、第1スライド溝1322aを有し、入力ロッド1321は、ピボット軸1321bを有し、ピボット軸1321bは、第1スライド溝1322aに摺動設置されている。ホルダー131は、ピボット軸1318を有し、出力ロッド1323は、第2スライド溝1323aを有し、ピボット軸1318は第2スライド溝1323aに摺動設置されている。本実施例において、接続ロッドの数は一つであるが、この数に限らない。また、入力ロッド1321と出力ロッド1323は直接接続されてもよく、この場合に、両者の間には接続ロッドがない。
【００４７】
入力ロッド1321は、キーボード1の一方側にあり、軸方向Xに沿って摺動できる。入力ロッド1321が軸方向Xに沿って摺動する時、接続ロッド1322により出力ロッド1323を移動させることで、ホルダー131が軸方向Yに沿って移動して入力ユニット10を高くする。図1Bからわかるように、入力ユニット10をより開口Oから突出させる。ホルダー131は軸方向Yに沿って入力ユニット10の下を摺動し、摺動により入力ユニット10を軸方向Zにおいて上昇又は降下させる。本実施例において、軸方向Xと軸方向Yは互いに垂直であり、軸方向Yと軸方向Zは互いに垂直であり、軸方向Zと軸方向Xは互いに垂直である。
【００４８】
入力ロッド1321のバンプ1321aは、上蓋24の開口溝に設けられており、バンプ1321aは、ユーザーが操作するための切換えスイッチとすることができる。バンプ1321aが初期位置（例えば、図2A）にあると、入力ユニット10は第1位置にありまだ上昇しておらず、バンプ1321aが末端位置（例えば、図2B）にあると、入力ユニット10は第2位置にあり既に上昇した。
【００４９】
持上げ装置13は、一端が入力ロッド1321に接続され、他端が電子デバイス2の上蓋24、枠体21又は電子デバイス2における第1回路板11との相対位置が固定される他の部材に接続される弾性部品134を含むことができる。
【００５０】
例えば、弾性部品134は、引っ張りバネであり、入力ロッド1321が初期位置にある時に引っ張られず、入力ロッド1321が末端位置にある時に弾性部品134が引っ張られることで、弾性部品134が弾性ポテンシャルエネルギーを保有し、この弾性ポテンシャルエネルギーが放出される時に、入力ロッド1321を末端位置から初期位置に復帰させる。その他の例において、弾性部品134は、圧縮バネを採用してもよい。この場合に、入力ロッド1321が初期位置にある時に圧縮されず、入力ロッド1321が末端位置にある時に弾性部品134が圧縮されることで、弾性部品134が弾性ポテンシャルエネルギーを保有し、この弾性ポテンシャルエネルギーが放出される時に、入力ロッド1321を末端位置から初期位置に復帰させる。
【００５１】
本実施例において、ネジ1324は接続ロッド1322の第1スライド溝1322aを通って入力ロッド1321のピボット軸1321bに締め込まれ、出力ロッド1323はホルダー131及び接続ロッド1322に接続され、ネジ1325は出力ロッド1323の第2スライド溝1323aを通ってホルダー131のピボット軸1318に締め込まれる。
【００５２】
また、ホルダー131は、少なくとも一つのガイド溝1314、1315をさらに備え、持上げ装置13は、少なくとも一つの固定部材133、少なくとも一つの昇降ガイド136及び少なくとも一つの弾性部材135をさらに備える。固定部材133の一端は、ガイド溝1314、1315の一方側からガイド溝1314、1315を通り、昇降ガイド136は台座137に取り付けられており、ガイド溝1314、1315の他方側に、固定部材133に嵌設され、固定部材133の軸方向に沿って台座137に従って上昇する。ガイド溝1314、1315の溝方向は、ホルダー131の移動方向と同じであり、いずれも軸方向Yに沿う方向である。固定部材133は、ガイド溝1314、1315を摺動可能であることにより、台座137を、ガイド溝1314、1315のみに沿って軸方向Yに摺動できるように制限する。弾性部材135は、昇降ガイド136に嵌設され、固定部材133の軸方向に沿って台座137に従って上昇して圧縮される。
【００５３】
本実施例において、入力ユニット10の第2回路板14は、台座137に装着されて設けられている。固定部材133、弾性部材135及び昇降ガイド136の数は、それぞれ四つであり、ガイド溝1314、1315の数は、二つであるが、これらの数に限らない。弾性部材135は、例えば錐形バネであるが、これに限らない。昇降ガイド136は、第1回路板11に向くように台座137に設けられており、台座137の昇降を制限する。弾性部材135は、台座137に設けられて昇降ガイド136に嵌設され、昇降ガイド136の軸方向に沿って第1回路板11によって圧縮されるように配置される。
【００５４】
また、下凸部1371、1372は、第2回路板14の隣りに位置し、切欠き1316、1317は、ベース部1313であってテーパ斜面1311の斜め前方に位置する。本実施例において、下凸部の数は二つであり、切欠きの数は二つであるが、これらの数に限らない。ただし、切欠きの数は下凸部の数以上である。
【００５５】
ホルダー131がまだ元の位置にあり、軸方向Yへ移動していない時であって、ベース部1313が台座137の下にあり、台座137及び入力ユニット10がベース部1313によって安定的に支持され、入力ユニット10がまだ上昇していない時に、下凸部1371、1372は切欠き1316、1317内に入っており、これにより、台座137とホルダー131との相対的摺動又は揺れを防止し、さらに入力ユニット10の位置を固定することができる。テーパ斜面1311がガイド溝1314、1315の溝方向に沿って入力ユニット10へ移動する時、下凸部1371、1372は切欠き1316、1317から脱出してベース部1313に当接し、これにより、台座137が持ち上げられて一定の高さで上昇する。上昇高さは、例えば1〜1.5mmであるが、これに限らない。そして、テーパ斜面1311が引き続きガイド溝1314、1315の溝方向に沿って入力ユニット10へ移動し、台座137がテーパ斜面1311に沿って突出部1312の上に摺動してホルダー131によって安定的に高くされた。また、入力ユニット10が持ち上げられた場合に、テーパ斜面1311がガイド溝1314、1315の溝方向に沿って入力ユニット10の下から摺動して離れる時、入力ユニット10が突出部1312からテーパ斜面1311に沿って下へ摺動し、下凸部1371、1372が切欠き1316、1317内に摺動し、これにより、入力ユニット10が降下する。
【００５６】
複数の昇降ガイド136及び複数の弾性部材135は、バランスを取りながら台座137のそれぞれの隅に分布して設けられてもよく、台座137は、昇降ガイド136の軸方向に沿って移動して上昇することができる。複数の固定部材133の頭部がガイド溝1314、1315に押し付けられることにより、台座137が下凸部1371、1372によって安定的に押し上げられ、或いはテーパ斜面1311によって安定的に持ち上げられ又は下げられることができる。また、突出部1312が台座137及び入力ユニット10を安定的に高くすることができるように、突出部1312のベース部1313に対する高さは、実質的に下凸部1371、1372のベース部1313に対する高さと同じである。
【００５７】
図1Bを再び参照してください。図1Bに示すように、開口Oにより入力ユニット10の一部の部材、例えば、ユニットキー15が露出する。第1回路板11は、相変わらず台座137のエッジを覆っており、これにより、入力ユニット10が第1回路板11の開口Oから露出することを防止する。
【００５８】
弾性部材135及び昇降ガイド136は、第1回路板11と台座137との間に位置し、弾性部材135及び昇降ガイド136は、入力ユニット10又は第2回路板14が第1回路板11に当接することを防止できる。
【００５９】
また、弾性部材135は、入力ユニット10の降下に協力できる。入力ユニット10が上昇する時、第1回路板11と台座137との間隔が小さくなるので、弾性部材135が圧縮されて変形し、弾性部材135が弾性ポテンシャルエネルギーを蓄積し、弾性ポテンシャルエネルギーが放出される時に、台座137を下へ押し、入力ユニット10を上昇していない位置まで降下させて復帰させる。
【００６０】
図4Aと図4Bは図1Bにおいて軸方向Zに沿ってキーボードの部材の作動を観察する模式図である。図5A〜5Dは図1Bにおいて軸方向Xに沿ってキーボードの部材の作動を観察する模式図である。以下、図4A〜図4B及び図5A〜図5Dにより入力ユニット10の高さの調整を説明する。
【００６１】
図4A及び図5Aに示すように、入力ユニット10は第1位置にありまだ上昇しておらず、入力ロッド1321はまだ軸方向Xの正軸へ移動していない。ユニットキー15とキー12は同じ高さであり、下凸部1371、1372は切欠き1316、1317内に位置し、弾性部材135はまだ圧縮されて変形していない。
【００６２】
図5Bに示すように、入力ロッド1321が軸方向Xの正軸へ移動した後、テーパ斜面1311がガイド溝1314、1315の溝方向に沿って軸方向Yの正軸に入力ユニット10へ移動し、下凸部1371、1372が切欠き1316、1317から脱出し、テーパ斜面1311がまだ台座137に押し付けられていないが、下凸部1371、1372がホルダー131のベース部1313へ当接することにより、台座137が高くされ、台座137が軸方向Zの正方向に沿って移動し、ユニットキー15がキー12よりも高くなり始める。
【００６３】
そして、図5Cに示すように、この際に、入力ロッド1321が相変わらず引き続き軸方向Xの正軸へ移動し、テーパ斜面1311が引き続きガイド溝1314、1315の溝方向に沿って軸方向Yの正軸に入力ユニット10へ移動し、入力ユニット10がテーパ斜面1311に沿って突出部1312の上に摺動し、ユニットキー15がキー12よりも高く、弾性部材135が圧縮されて変形した。
【００６４】
図4B及び図5Dに示すように、入力ロッド1321が上蓋24の開口溝の末端に既に達しており、これ以上引き続き軸方向Xの正軸へ移動できない。入力ユニット10が第2位置にあり既に上昇しており、ユニットキー15がキー12よりも高く、突出部1312が台座137の下方に完全に伸びることにより入力ユニット10を安定的に上昇させる。
【００６５】
本実施例において、入力ロッド1321が開口溝の末端まで押された後に、移動しないように固定されてもい。固定方式は、例えば突起物によって係止され又は締結される方式、或いはフック状物によって引っ掛けられ又は締結される方式、或いは他の一時的な固定方式であり、これらの固定方式により、入力ユニット10の高さを固定する。軸方向Xの負軸へ入力ロッド1321を押し移して元の位置に復帰させることにより、入力ユニット10を降下させることができ、この際、図4A〜図4B及び図5A〜図5Dにおける部材が上記と逆の順序で作動する。降下する過程において、弾性部材135は蓄積した弾性ポテンシャルエネルギーを放出して台座137を下へ押し、入力ユニット10を上昇していない位置まで降下させて復帰させるように協力する。
【００６６】
図6は、一実施例の電子デバイスの模式図である。図6に示すように、電子デバイス2は、別の入力ユニット3（以下、単に入力ユニット3と称する）を含んでもよい。入力ユニット3は軌跡ボールであり、入力ユニット10の設置方式により高さを調整してもよい。
【００６７】
図7は、一実施例の電子デバイスの模式図である。図7に示すように、電子デバイス2は、ディスプレイ22に設けられる閉塞降下部品23をさらに備える。ディスプレイ22が枠体21へ予定の角度まで枢転する時、閉塞降下部品23が持上げ装置13を移動させて入力ユニット10を降下させ、上昇した入力ユニット10がディスプレイ22に衝突して損害が生じることを回避する。
【００６８】
例えば、閉塞降下部品23は、磁石であり、持上げ装置13は、閉塞降下部品の磁性と反発し合う磁性材質を有する。例えば、持上げ装置13の入力ロッド1321の突出部の末端に別の磁石を増設する。閉塞降下部品23の磁石は、ディスプレイ22における、持上げ装置13の末端位置に対応する所に位置する。ディスプレイ22と枠体21との間の閉止角度が一定の角度より小さい場合に、例えば20度であり（これに限らない）、或いは0を超え20未満の他の角度である場合に、この二つの磁石の同じ極が反発し合う原理を利用し、磁力により入力ロッド1321を一時的な固定状態から脱出させ、例えば係止状態、引っ掛かる状態、締結状態などの状態から脱出させる。その後、弾性部品134により入力ロッド1321を末端位置から初期位置まで復帰させ、入力ユニット10を降下させる。
【００６９】
ユーザーがディスプレイを直接閉じても、閉塞降下部品23は持上げ装置13を末端位置における一時的な固定状態から解除し、持上げ装置13自体の復帰メカニズムにより末端位置から初期位置まで復帰させるので、上昇した入力ユニット10を降下させる。
【００７０】
上述したように、本発明のキーボード及び電子デバイスは、高さが調整可能な入力ユニットを備え、ユーザーは、持上げ装置を操作することにより、この入力ユニットを上昇させて他のキーよりも高くすることができる。ユーザーは目線をキーボードに移す必要がなく、指の触感のみによりこの入力ユニットの位置を正確に見出すことができる。ゲームの応用下で、ユーザーは、気を散らして目線をディスプレイからキーボードに一時的に移す必要がないので、できるだけゲーム自体に集中することができる。
【００７１】
例えば、入力ユニットのユニットキーはWASDキーであり、これらのキーはパソコンゲームの特殊な機能キーであり、しかも、一般的には、主な機能キーであり、他のキーよりも高いWASDキーにより、ユーザーが操作しやすくなり、パソコンゲームにおいてよりスムーズにゲームをやることができる。
【００７２】
また、ユーザーは、高さが調整可能な入力ユニットを降下させ、又は他のキーと同じ高さに維持するように持上げ装置を操作することができる。例えば、入力ユニットのユニットキーはWASDキーであり、他のキーと同じ高さのWASDキーにより、ユーザーが容易にキーを打つことができ、キーボード全体は、一般的なキーボードとして使用することができる。
【００７３】
以上に述べた内容は例示的なものに過ぎず、制限的なものではない。本発明の精神と範疇から逸脱せずに行った等価の修正又は変更は、いずれも下記の特許請求の範囲に含まれるべきである。
【符号の説明】
【００７４】
1：キーボード
10：入力ユニット
11：第1回路板
12：キー
13：持上げ装置
131：ホルダー
1311：テーパ斜面
1312：突出部
1313：ベース部
1314、1315：ガイド溝
1316、1317：切欠き
1318：ピボット軸
132：リンク機構
1321：入力ロッド
1321a：バンプ
1321b：ピボット軸
1322：接続ロッド
1322a：第1スライド溝
1323：出力ロッド
1323a：第2スライド溝
1324、1325：ネジ
133：固定部材
134：弾性部品
135：弾性部材
136：昇降ガイド
137：台座
1371、1372：下凸部
14：第2回路板
15：ユニットキー
16：遮断部品
17：仕切り層
2：電子デバイス
21：枠体
22：ディスプレイ
23：閉塞降下部品
24：上蓋
3：電線
A：前側
B：対向側
O：開口
【図１Ａ】
2019128942.tif 000003
【図１Ｂ】
2019128942.tif 000004
【図１Ｃ】
2019128942.tif 000005
【図２Ａ】
2019128942.tif 000006
【図２Ｂ】
2019128942.tif 000007
【図３Ａ】
2019128942.tif 000008
【図３Ｂ】
2019128942.tif 000009
【図４Ａ】
2019128942.tif 000010
【図４Ｂ】
2019128942.tif 000011
【図５Ａ】
2019128942.tif 000012
【図５Ｂ】
2019128942.tif 000013
【図５Ｃ】
2019128942.tif 000014
【図５Ｄ】
2019128942.tif 000015
【図６】
2019128942.tif 000016
【図７】
2019128942.tif 000017